(57)【特許請求の範囲】
【請求項１】
本体を含み、前記本体の中には上方へ開口した支持板空間が設けられ、前記支持板空間の中には昇降板が昇降できるように設けられ、前記昇降板の上端面には回転板が回転できるように設けられ、木製ドアを前記回転板の上端面に置き、前記昇降板によって木製ドアを降下させることができ、前記回転板の回転によって木製ドアを回転させることができ、前記回転板の上側には桁が設けられ、前記桁の下端面中心には下押し板が回転できるように設けられ、前記下押し板の下端面には弾性押しブロックが固定的に設けられ、前記支持板空間の前後両側には昇降装置が設けられ、前記昇降装置の中には昇降ロッドが前後対称に設けられ、前記昇降ロッドの上端が前記桁の下端面の前後両端に固定的に連結され、前記昇降板の下端面には前後対称に設けられた支持ロッドがヒンジによって連結され、前記支持ロッドが前記昇降ロッドと連動でき、前記昇降ロッドが前記桁を降下させるとき、前記支持ロッドが前記昇降板を降下させ、前記支持板空間の左側にはカバーくっつけ装置が設けられ、前記カバーくっつけ装置の中には押し板が設けられ、前記押し板の上端面の中には右方へ開口した翻転空間が設けられ、前記翻転空間の前後壁の間には翻転板が回転できるように設けられ、前記翻転板の下端面において前記押し板の右側には押しローラーが回転できるように設けられ、前記押し板の前側にはカバー材の送り通路が設けられ、前記回転板の上端面が前記押し板の下端面と同じ平面に位置するまで降下したとき、前記送り通路によってカバー材を前記押し板と前記押しローラーとの間に送り、前記押し板を右方へ押し、前記翻転板の右端が上方へ翻転し、このとき押し板はカバー材を木製ドアの側辺の一辺にくっつけることができ、前記押し板が復帰した後、前記回転板が木製ドアを九十度回転させ、前記押し板がカバー材を順に残りの三つの面に押し、木製ドアの四つの側辺に対するカバー作業が完了されることを特徴とする木製ドアの縁カバー装置。
【請求項２】
前記桁の昇降する距離が前記昇降板の昇降する距離より長く、前記昇降板が下限界位置まで降下したとき、前記桁が前記下押し板と前記弾性押しブロックを下方限界位置まで降下させて木製ドアの上端面を押さえることを特徴とする請求項１に記載の木製ドアの縁カバー装置。
【請求項３】
前記昇降装置は、前記支持板空間の前後両側に対称に設けられ且つ上方へ開口した昇降空間送り通路を含み、前記昇降ロッドが前記送り通路の中に上下にスライドできるように設けられ、前記送り通路の下壁には前記昇降ロッドの中にねじ山によって連結された昇降ねじロッドが回転できるように設けられ、前記送り通路の下側には傘歯車空間が設けられ、前記昇降ねじロッドの下端が前記傘歯車空間の中に延び且つ駆動傘歯車と固定され、前記支持板空間の下壁には平行移動空間が連通するように且つ前後対称に設けられ、前記平行移動空間の中には平行移動ブロックが前後にスライドできるように設けられ、前後両側の前記支持ロッドの下端が同じ側の前記平行移動ブロックの上端とヒンジによって連結され、前記平行移動空間の前後壁の間には前記平行移動ブロックの中にねじ山によって連結された平行移動ねじロッドが回転できるように設けられ、前記平行移動ねじロッドにおいて対称中心から離れた一端が前記傘歯車空間の中に延びており、且つ前記平行移動ねじロッドにおいて対称中心から離れた一端には前記駆動傘歯車と噛合している従動傘歯車が固定的に設けられていることを特徴とする請求項１に記載の木製ドアの縁カバー装置。
【請求項４】
前記傘歯車空間の下側にはプーリー空間が設けられ、前記プーリー空間の中には前記駆動傘歯車の下端に固定的に連結された従動プーリーが回転できるように且つ前後対称に設けられ、前記従動プーリーの間の左側には駆動プーリーが回転できるように設けられ、前記駆動プーリーと前記従動プーリーとの間には伝動ベルトが巻き付いていることを特徴とする請求項３に記載の木製ドアの縁カバー装置。
【請求項５】
前記昇降板の中の中心には旋転柱が上下に貫通するように且つ回転できるように設けられ、前記旋転柱の中には下方へ開口したスプライン穴が設けられ、前記支持板空間の下壁において前記旋転柱の下側と正対するところには前記プーリー空間の上壁と連通した軸通し穴が連通するように設けられ、前記プーリー空間の下壁の中において前記軸通し穴の下側と正対するところには方向転換モーターが固定的に設けられ、前記方向転換モーターの上端には前記スプライン穴の内部とスプラインによって連結されることのできるスプライン軸が伝動できるように連結されていることを特徴とする請求項４に記載の木製ドアの縁カバー装置。
【請求項６】
前記カバーくっつけ装置は、前記支持板空間の左壁の上端に連通するように設けられた伸縮空間を含み、前記押し板は前記伸縮空間の中に左右にスライドできるように設けられ、前記伸縮空間の左側には駆動スライド空間が連通するように且つ前後対称に設けられ、前記駆動スライド空間の中には駆動スライドブロックが前後にスライドできるように設けられ、前記駆動スライドブロックの右端には伸縮ヒンジがヒンジで連結され、前記押し板の左端面の中には従動スライド空間が前後対称に設けられ、前記従動スライド空間の中には従動スライドブロックが前後にスライドできるように設けられ、前記伸縮ヒンジの右端が前記従動スライドブロックの左端にヒンジによって連結され、前記駆動スライド空間の前後壁の間には前記駆動スライドブロックとねじ山によって連結された伸縮ねじロッドが回転できるように設けられ、前記駆動スライド空間の間には伝動空間が設けられ、前記伸縮ねじロッドの対向した端が前記伝動空間の中まで延び且つ伝動傘歯車と固定され、前記伝動空間の下壁には前記伝動傘歯車と噛合している動力傘歯車が回転できるように設けられていることを特徴とする請求項５に記載の木製ドアの縁カバー装置。
【請求項７】
前記翻転空間の下壁にはばね空間が連通するように設けられ、前記ばね空間の下壁と前記翻転板の下端面との間には翻転ばねが固定的に連結され、前記翻転ばねは前記翻転板の右端を押し動かして上方へ翻転させることができることを特徴とする請求項１に記載の木製ドアの縁カバー装置。
【請求項８】
前記本体の中の左側において前記伝動空間と前記プーリー空間との間には切り替え空間が設けられ、前記切り替え空間の下壁の右端には前記駆動プーリーの上端と固定的に連結された右平歯車が回転できるように設けられ、前記切り替え空間の上壁の左端には前記動力傘歯車の下端と固定的に連結された左平歯車が回転できるように設けられ、前記切り替え空間の上壁において前記左平歯車と前記右平歯車との間には制御空間が連通するように設けられ、前記制御空間の中には制御ブロックが上下にスライドできるように設けられ、前記制御ブロックの中には動力モーターが固定的に設けられ、前記動力モーターの下端には動力平歯車が伝動できるように連結され、前記動力平歯車は切り替えて前記右平歯車と前記左平歯車とのうちの一つと噛合することができることを特徴とする請求項６に記載の木製ドアの縁カバー装置。
【請求項９】
前記制御空間の上壁の中には液圧シリンダーが固定的に設けられ、前記液圧シリンダーの下端には液圧伸縮ロッドが伝動できるように連結され、前記制御ブロックが前記液圧伸縮ロッドの下端に固定的に連結されていることを特徴とする請求項８に記載の木製ドアの縁カバー装置。
【請求項１０】
前記送り通路の上下壁の間には材料案内ローラーが回転できるように且つ左右対称に設けられていることを特徴とする請求項１に記載の木製ドアの縁カバー装置。
【発明の詳細な説明】
【技術分野】
【０００１】
本願発明は木製ドア加工技術分野を取り上げて、具体的には木製ドアの縁カバー装置である。
【背景技術】
【０００２】
木製ドアは多く使用されているが、使用される間、縁はぶつかりや摩擦が多いため、美観性に影響する。そのため、木製ドアを加工するとき、木製ドアの縁をカバーする必要がある。縁カバー作業は一般的に柔軟な材料を使用する。伝統的な縁カバー設備は人力で縁をカバーし木製ドアを回す必要があるため、時間と力がかかる。既存技術の中、人力ではなく自動で木製ドアを回し、作業の強度を下げたものもあるが、カバー材をくっつける作業はまだ人力で行われている。人力作業では、力不足によってしっかりとくっつかないことがよく発生し、縁カバーの効果を悪くしやすい。本願発明は上記の問題を解決できる。
【先行技術文献】
【特許文献】
【０００３】
【特許文献１】中国特許出願公開第１０４４００８６９号明細書
【発明の概要】
【発明が解決しようとする課題】
【０００４】
技術問題：伝統的な縁カバー設備は人力で縁をカバーし木製ドアを回す必要があるため、時間と力がかかり、既存技術の中、人力ではなく自動で木製ドアを回すものもあるが、カバーの材料をくっつける作業はまだ人力で行われており、しっかりとくっついてないことによって縁カバーの効果を悪くしやすい。
【課題を解決するための手段】
【０００５】
上記の課題を解決するため、本願発明は以下の技術プランを採用する：木製ドアの縁カバー装置は、本体を含み、前記本体の中には上方へ開口した支持板空間が設けられ、前記支持板空間の中には昇降板が昇降できるように設けられ、前記昇降板の上端面には回転板が回転できるように設けられ、木製ドアを前記回転板の上端面に置き、前記昇降板によって木製ドアを降下させることができ、前記回転板の回転によって木製ドアを回転させることができ、前記回転板の上側には桁が設けられ、前記桁の下端面中心には下押し板が回転できるように設けられ、前記下押し板の下端面には弾性押しブロックが固定的に設けられ、前記支持板空間の前後両側には昇降装置が設けられ、前記昇降装置の中には昇降ロッドが前後対称に設けられ、前記昇降ロッドの上端が前記桁の下端面の前後両端に固定的に連結され、前記昇降板の下端面には前後対称に設けられた支持ロッドがヒンジによって連結され、前記支持ロッドが前記昇降ロッドと連動でき、前記昇降ロッドが前記桁を降下させるとき、前記支持ロッドが前記昇降板を降下させ、前記支持板空間の左側にはカバーくっつけ装置が設けられ、前記カバーくっつけ装置の中には押し板が設けられ、前記押し板の上端面の中には右方へ開口した翻転空間が設けられ、前記翻転空間の前後壁の間には翻転板が回転できるように設けられ、前記翻転板の下端面において前記押し板の右側には押しローラーが回転できるように設けられ、前記押し板の前側にはカバー材の送り通路が設けられ、前記回転板の上端面が前記押し板の下端面と同じ平面に位置するまで降下したとき、前記送り通路によってカバー材を前記押し板と前記押しローラーとの間に送り、前記押し板を右方へ押し、前記翻転板の右端が上方へ翻転し、このとき押し板はカバー材を木製ドアの側辺の一辺にくっつけることができ、前記押し板が復帰した後、前記回転板が木製ドアを九十度回転させ、前記押し板がカバー材を順に残りの三つの面に押し、木製ドアの四つの側辺に対するカバー作業が完了される。
【０００６】
優選の技術プランとして、前記桁の昇降する距離が前記昇降板の昇降する距離より長く、前記昇降板が下限界位置まで降下したとき、前記桁が前記下押し板と前記弾性押しブロックを下方限界位置まで降下させて木製ドアの上端面を押さえる。
【０００７】
優選の技術プランとして、前記昇降装置は、前記支持板空間の前後両側に対称に設けられ且つ上方へ開口した昇降空間送り通路を含み、前記昇降ロッドが前記送り通路の中に上下にスライドできるように設けられ、前記送り通路の下壁には前記昇降ロッドの中にねじ山によって連結された昇降ねじロッドが回転できるように設けられ、前記送り通路の下側には傘歯車空間が設けられ、前記昇降ねじロッドの下端が前記傘歯車空間の中に延び且つ駆動傘歯車と固定され、前記支持板空間の下壁には平行移動空間が連通するように且つ前後対称に設けられ、前記平行移動空間の中には平行移動ブロックが前後にスライドできるように設けられ、前後両側の前記支持ロッドの下端が同じ側の前記平行移動ブロックの上端とヒンジによって連結され、前記平行移動空間の前後壁の間には前記平行移動ブロックの中にねじ山によって連結された平行移動ねじロッドが回転できるように設けられ、前記平行移動ねじロッドにおいて対称中心から離れた一端が前記傘歯車空間の中に延びており、且つ前記平行移動ねじロッドにおいて対称中心から離れた一端には前記駆動傘歯車と噛合している従動傘歯車が固定的に設けられている。
【０００８】
優選の技術プランとして、前記傘歯車空間の下側にはプーリー空間が設けられ、前記プーリー空間の中には前記駆動傘歯車の下端に固定的に連結された従動プーリーが回転できるように且つ前後対称に設けられ、前記従動プーリーの間の左側には駆動プーリーが回転できるように設けられ、前記駆動プーリーと前記従動プーリーとの間には伝動ベルトが巻き付いている。
【０００９】
優選の技術プランとして、前記昇降板の中の中心には旋転柱が上下に貫通するように且つ回転できるように設けられ、前記旋転柱の中には下方へ開口したスプライン穴が設けられ、前記支持板空間の下壁において前記旋転柱の下側と正対するところには前記プーリー空間の上壁と連通した軸通し穴が連通するように設けられ、前記プーリー空間の下壁の中において前記軸通し穴の下側と正対するところには方向転換モーターが固定的に設けられ、前記方向転換モーターの上端には前記スプライン穴の内部とスプラインによって連結されることのできるスプライン軸が伝動できるように連結されている。
【００１０】
優選の技術プランとして、前記カバーくっつけ装置は、前記支持板空間の左壁の上端に連通するように設けられた伸縮空間を含み、前記押し板は前記伸縮空間の中に左右にスライドできるように設けられ、前記伸縮空間の左側には駆動スライド空間が連通するように且つ前後対称に設けられ、前記駆動スライド空間の中には駆動スライドブロックが前後にスライドできるように設けられ、前記駆動スライドブロックの右端には伸縮ヒンジがヒンジで連結され、前記押し板の左端面の中には従動スライド空間が前後対称に設けられ、前記従動スライド空間の中には従動スライドブロックが前後にスライドできるように設けられ、前記伸縮ヒンジの右端が前記従動スライドブロックの左端にヒンジによって連結され、前記駆動スライド空間の前後壁の間には前記駆動スライドブロックとねじ山によって連結された伸縮ねじロッドが回転できるように設けられ、前記駆動スライド空間の間には伝動空間が設けられ、前記伸縮ねじロッドの対向した端が前記伝動空間の中まで延び且つ伝動傘歯車と固定され、前記伝動空間の下壁には前記伝動傘歯車と噛合している動力傘歯車が回転できるように設けられている。
【００１１】
優選の技術プランとして、前記翻転空間の下壁にはばね空間が連通するように設けられ、前記ばね空間の下壁と前記翻転板の下端面との間には翻転ばねが固定的に連結され、前記翻転ばねは前記翻転板の右端を押し動かして上方へ翻転させることができる。
【００１２】
優選の技術プランとして、前記本体の中の左側において前記伝動空間と前記プーリー空間との間には切り替え空間が設けられ、前記切り替え空間の下壁の右端には前記駆動プーリーの上端と固定的に連結された右平歯車が回転できるように設けられ、前記切り替え空間の上壁の左端には前記動力傘歯車の下端と固定的に連結された左平歯車が回転できるように設けられ、前記切り替え空間の上壁において前記左平歯車と前記右平歯車との間には制御空間が連通するように設けられ、前記制御空間の中には制御ブロックが上下にスライドできるように設けられ、前記制御ブロックの中には動力モーターが固定的に設けられ、前記動力モーターの下端には動力平歯車が伝動できるように連結され、前記動力平歯車は切り替えて前記右平歯車と前記左平歯車とのうちの一つと噛合することができる。
【００１３】
優選の技術プランとして、前記制御空間の上壁の中には液圧シリンダーが固定的に設けられ、前記液圧シリンダーの下端には液圧伸縮ロッドが伝動できるように連結され、前記制御ブロックが前記液圧伸縮ロッドの下端に固定的に連結されている。
【００１４】
優選の技術プランとして、前記送り通路の上下壁の間には材料案内ローラーが回転できるように且つ左右対称に設けられている。
【発明の効果】
【００１５】
本願発明は、縁をカバーする材料を木製ドアの縁の一端に貼り、一回に自動的に木製ドアを九十度回転させることができ、そして木製ドアのカバー必要のある縁を一回押すことで、縁をカバーするときの材料の緊密性と頑丈性を保証し、縁カバーの質を高め、また、作業全体は人力での補助が必要なく、全自動化である。
【図面の簡単な説明】
【００１６】
下記に図１〜４をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１７】
【図１】図１は本願発明の全体構成略図
【図２】図２は図１のＡ―Ａ方向の構成略図
【図３】図３は図１のＢ―Ｂ方向の構成略図
【図４】図４は図１のＣの拡大構成略図
【発明を実施するための形態】
【００１８】
木製ドアの縁カバー装置は、本体１１を含み、前記本体１１の中には上方へ開口した支持板空間１２が設けられ、前記支持板空間１２の中には昇降板１３が昇降できるように設けられ、前記昇降板１３の上端面には回転板１４が回転できるように設けられ、木製ドアを前記回転板１４の上端面に置き、前記昇降板１３によって木製ドアを降下させることができ、前記回転板１４の回転によって木製ドアを回転させることができ、前記回転板１４の上側には桁１５が設けられ、前記桁１５の下端面中心には下押し板１６が回転できるように設けられ、前記下押し板１６の下端面には弾性押しブロック１７が固定的に設けられ、前記支持板空間１２の前後両側には昇降装置１０１が設けられ、前記昇降装置１０１の中には昇降ロッド１８が前後対称に設けられ、前記昇降ロッド１８の上端が前記桁１５の下端面の前後両端に固定的に連結され、前記昇降板１３の下端面には前後対称に設けられた支持ロッド１９がヒンジによって連結され、前記支持ロッド１９が前記昇降ロッド１８と連動でき、前記昇降ロッド１８が前記桁１５を降下させるとき、前記支持ロッド１９が前記昇降板１４を降下させ、前記支持板空間１２の左側にはカバーくっつけ装置１０２が設けられ、前記カバーくっつけ装置１０２の中には押し板２０が設けられ、前記押し板２０の上端面の中には右方へ開口した翻転空間２１が設けられ、前記翻転空間２１の前後壁の間には翻転板２２が回転できるように設けられ、前記翻転板２２の下端面において前記押し板２０の右側には押しローラー２３が回転できるように設けられ、前記押し板２０の前側にはカバー材の送り通路２４が設けられ、前記回転板１４の上端面が前記押し板２０の下端面と同じ平面に位置するまで降下したとき、前記送り通路２４によってカバー材を前記押し板２０と前記押しローラー２３との間に送り、前記押し板２０を右方へ押し、前記翻転板２２の右端が上方へ翻転し、このとき押し板２０はカバー材を木製ドアの側辺の一辺にくっつけることができ、前記押し板２０が復帰した後、前記回転板１４が木製ドアを九十度回転させ、前記押し板２０がカバー材を順に残りの三つの面に押し、木製ドアの四つの側辺に対するカバー作業が完了される。
【００１９】
有益に、前記桁１５の昇降する距離が前記昇降板１３の昇降する距離より長く、前記昇降板１３が下限界位置まで降下したとき、前記桁１５が前記下押し板１６と前記弾性押しブロック１７を下方限界位置まで降下させて木製ドアの上端面を押さえる。
【００２０】
有益に、前記昇降装置１０１は、前記支持板空間１２の前後両側に対称に設けられ且つ上方へ開口した昇降空間送り通路２４を含み、前記昇降ロッド１８が前記送り通路２４の中に上下にスライドできるように設けられ、前記送り通路２４の下壁には前記昇降ロッド１８の中にねじ山によって連結された昇降ねじロッド２５が回転できるように設けられ、前記送り通路２４の下側には傘歯車空間２６が設けられ、前記昇降ねじロッド２５の下端が前記傘歯車空間２６の中に延び且つ駆動傘歯車２７と固定され、前記支持板空間１２の下壁には平行移動空間２８が連通するように且つ前後対称に設けられ、前記平行移動空間２８の中には平行移動ブロック２９が前後にスライドできるように設けられ、前後両側の前記支持ロッド１９の下端が同じ側の前記平行移動ブロック２９の上端とヒンジによって連結され、前記平行移動空間２８の前後壁の間には前記平行移動ブロック２９の中にねじ山によって連結された平行移動ねじロッド３０が回転できるように設けられ、前記平行移動ねじロッド３０において対称中心から離れた一端が前記傘歯車空間２６の中に延びており、且つ前記平行移動ねじロッド３０において対称中心から離れた一端には前記駆動傘歯車２７と噛合している従動傘歯車３１が固定的に設けられている。
【００２１】
有益に、前記傘歯車空間２６の下側にはプーリー空間３２が設けられ、前記プーリー空間３２の中には前記駆動傘歯車２７の下端に固定的に連結された従動プーリー３３が回転できるように且つ前後対称に設けられ、前記従動プーリー３３の間の左側には駆動プーリー３４が回転できるように設けられ、前記駆動プーリー３４と前記従動プーリー３３との間には伝動ベルト３５が巻き付いている。
【００２２】
有益に、前記昇降板１３の中の中心には旋転柱３６が上下に貫通するように且つ回転できるように設けられ、前記旋転柱３６の中には下方へ開口したスプライン穴３７が設けられ、前記支持板空間１２の下壁において前記旋転柱３６の下側と正対するところには前記プーリー空間３２の上壁と連通した軸通し穴３８が連通するように設けられ、前記プーリー空間３２の下壁の中において前記軸通し穴３８の下側と正対するところには方向転換モーター３９が固定的に設けられ、前記方向転換モーター３９の上端には前記スプライン穴３７の内部とスプラインによって連結されることのできるスプライン軸４０が伝動できるように連結されている。
【００２３】
有益に、前記カバーくっつけ装置１０２は、前記支持板空間１２の左壁の上端に連通するように設けられた伸縮空間４１を含み、前記押し板２０は前記伸縮空間４１の中に左右にスライドできるように設けられ、前記伸縮空間４１の左側には駆動スライド空間４２が連通するように且つ前後対称に設けられ、前記駆動スライド空間４２の中には駆動スライドブロック４３が前後にスライドできるように設けられ、前記駆動スライドブロック４３の右端には伸縮ヒンジ４４がヒンジで連結され、前記押し板２０の左端面の中には従動スライド空間４５が前後対称に設けられ、前記従動スライド空間４５の中には従動スライドブロック４６が前後にスライドできるように設けられ、前記伸縮ヒンジ４４の右端が前記従動スライドブロック４６の左端にヒンジによって連結され、前記駆動スライド空間４２の前後壁の間には前記駆動スライドブロック４３とねじ山によって連結された伸縮ねじロッド４７が回転できるように設けられ、前記駆動スライド空間４２の間には伝動空間４８が設けられ、前記伸縮ねじロッド４７の対向した端が前記伝動空間４８の中まで延び且つ伝動傘歯車４９と固定され、前記伝動空間４８の下壁には前記伝動傘歯車４９と噛合している動力傘歯車５０が回転できるように設けられている。
【００２４】
有益に、前記翻転空間２１の下壁にはばね空間５１が連通するように設けられ、前記ばね空間５１の下壁と前記翻転板２２の下端面との間には翻転ばね５２が固定的に連結され、前記翻転ばね５２は前記翻転板２２の右端を押し動かして上方へ翻転させることができる。
【００２５】
有益に、前記本体１１の中の左側において前記伝動空間４８と前記プーリー空間３２との間には切り替え空間５３が設けられ、前記切り替え空間５３の下壁の右端には前記駆動プーリー３４の上端と固定的に連結された右平歯車５４が回転できるように設けられ、前記切り替え空間５３の上壁の左端には前記動力傘歯車５０の下端と固定的に連結された左平歯車５５が回転できるように設けられ、前記切り替え空間５３の上壁において前記左平歯車５５と前記右平歯車５４との間には制御空間５６が連通するように設けられ、前記制御空間５６の中には制御ブロック５７が上下にスライドできるように設けられ、前記制御ブロック５７の中には動力モーター５８が固定的に設けられ、前記動力モーター５８の下端には動力平歯車５９が伝動できるように連結され、前記動力平歯車５９は切り替えて前記右平歯車５４と前記左平歯車５５とのうちの一つと噛合することができる。
【００２６】
有益に、前記制御空間５６の上壁の中には液圧シリンダー６０が固定的に設けられ、前記液圧シリンダー６０の下端には液圧伸縮ロッド６１が伝動できるように連結され、前記制御ブロック５７が前記液圧伸縮ロッド６１の下端に固定的に連結されている。
【００２７】
有益に、前記送り通路２４の上下壁の間には材料案内ローラー６２が回転できるように且つ左右対称に設けられている。
【００２８】
以下に図１〜４とあわせて本願発明の使用手順を説明する。
初期状態では、回転板１４と桁１５が上限界位置にあり、回転板１４の上端面が本体１１の上端面と同じ水平面にあり、弾性押しブロック１７と回転板１４との間の距離が木製ドアの厚さより大きく、旋転柱がスプライン軸４０と連結されていなく、押し板２０が左限界位置にあり且つ伸縮空間４１の中に縮み込んでおり、翻転板２２が水平状態にあり、制御ブロック５７が下限界位置にあり、動力平歯車５９が右平歯車５４と噛合しており、縁をカバーする材料を送り通路２４の前端の開口から左右両側の前記材料案内ローラー６２の間に通して、前記押し板２０と前記押しローラー２３との間に入れて挟んで固定する。
木製ドアの縁をカバーするとき、送り装置によって木製ドアを回転板１４に移動させ、且つ木製ドアの一辺を支持板空間１２の左壁と平行になるようにし、このとき動力モーター５８が作動し動力平歯車５９を回転させ、歯車の噛合によって右平歯車５４を回転させ且つ駆動プーリー３４を回転させ、伝動ベルト３５が従動プーリー３３を回転させて駆動傘歯車２７を回転させ、歯車の噛合により従動傘歯車３１を回転させ且つ平行移動ねじロッド３０を回転させ、ねじ山の連結によって平行移動ブロック２９を互いに近付くように移動させ、そして支持ロッド１９によって昇降板１３と回転板１４を降下させ、このとき昇降板１３の下端面が支持板空間１２の下壁と当接し、回転板１４の上端面が伸縮空間４１の下壁と同じ水平面になり、このとき旋転柱３６が降下し、スプライン軸４０の上端がスプライン穴３７の中に延びてプライン穴３７とスプラインによって連結され、この過程において、駆動傘歯車２７が昇降ねじロッド２５を回転させ、ねじ山の連結によって昇降ロッド１８を降下させて桁１５を降下させ、これによって下押し板１６と弾性押しブロック１７を降下させて木製ドアの上端面を挟んで固定し、このとき、液圧シリンダー６０が作動し液圧伸縮ロッド６１によって制御ブロック５７を上昇させ、このとき動力平歯車５９が左平歯車５５と噛合し、動力モーター５８が作動し、動力平歯車５９が歯車の噛合により左平歯車５５を回転させ且つ動力傘歯車５０を回転させ、歯車の噛合により伝動傘歯車４９を回転させ且つ伸縮ねじロッド４７を回転させ、ねじ山の連結により駆動スライドブロック４３を互いに近付くように移動させ、これによって伸縮ヒンジ４４が連動し広がり、従動スライドブロック４６が互いに近付くように移動して右方へ移動し、押し板２０が連動し右方へ移動し、押し板２０と押しローラー２３によりカバー材を挟んで右方へ移動すると同時にカバー材を引っ張り、押し板２０が伸縮空間４１から出たとき、翻転板２２が翻転ばね５２の弾力によって上方へ翻転し、このとき押し板２０が引き続き右方へ移動し且つカバー材を木製ドアと伸縮空間４１との向き合っている側に貼り、このとき動力モーター５８が逆回転し押し板２０を左方へ移動させて復帰させ、翻転板２２の上端面が伸縮空間４１の上壁の開口端と当接したとき、翻転板２２が水平状態まで下方へ押され、このとき方向転換モーター３９が作動しスプライン軸４０を回転させ、スプラインの連結により旋転柱３６を回転させ且つ回転板１４を回転させ、これによって木製ドアが連動し九十度回転し、このとき動力モーター５８が再び作動し押し板２０を右方へ移動させ、押し板２０がカバー材を押え、二回繰り返した後に縁カバー作業が完了され、そして切断機構でカバー材を切断する。
昇降板１３が降下した後、木製ドアの左端が支持板空間１２の左壁と平行になっていなく、まず旋転柱３６を起動し回転板１４を一定角度に回転させることによって調整を行うことができる。
【００２９】
以上の方式により、当業者は本願発明の範囲内で作業方法によって様々な変更を行うことができる。
【要約】
【課題】本願発明は木製ドアの縁カバー装置を開示した。
【解決手段】
本体を含み、前記本体の中には上方へ開口した支持板空間が設けられ、前記支持板空間の中には昇降板が昇降できるように設けられ、前記昇降板の上端面には回転板が回転できるように設けられ、木製ドアを前記回転板の上端面に置き、前記昇降板によって木製ドアを降下させることができ、前記回転板の回転によって木製ドアを回転させることができ、前記回転板の上側には桁が設けられ、前記桁の下端面中心には下押し板が回転できるように設けられ、前記下押し板の下端面には弾性押しブロックが固定的に設けられている。
【選択図】図１【図１】
0006808146.tif 000002
【図２】
0006808146.tif 000003
【図３】
0006808146.tif 000004
【図４】
0006808146.tif 000005